(57)【特許請求の範囲】
【請求項１】
直管形ランプと、このランプからの光を反射する反射笠とを備えた直管形照明器具において、前記反射笠は中央反射部材と、この中央反射部材の両側に設けられ前記ランプを焦点とした放物面を形成して配光制御を行うサイド反射部材と、このサイド反射部材の配光制御面とは反対側の面に配設され前記中央反射部材と前記サイド反射部材とを結合する補強部材とを備え、中央反射部材を断面溝状に形成し、補強部材に前記中央反射部材の側壁部に係合する係合部を備えたことを特徴とする直管形照明器具。
【請求項２】
補強部材の反中央反射部材側の端部に折り曲げ縁部を設け、この折り曲げ縁部をサイド反射部材の端縁に設けた折り曲げ縁部と重合するようにしたことを特徴とする請求項１に記載の直管形照明器具。
【請求項３】
反射笠の長手方向の一端部に、中央反射部材とこの中央反射部材の両側に設けたサイド反射部材のそれぞれを機械的に結合する１対の第１の補強部材を設け、反射笠の長手方向の他端部に、中央反射部材とこの中央反射部材の両側に設けたサイド反射部材のそれぞれを機械的に結合する１対の第２の補強部材を設けたことを特徴とする請求項１または請求項２に記載の直管形照明器具。
【請求項４】
前記補強部材を中央反射部材とこの中央反射部材の両側に設けた２つのサイド反射部材とを機械的に結合するように一体に形成したことを特徴とする請求項１または請求項２に記載の直管形照明器具。
【発明の詳細な説明】
【０００１】
【産業上の利用分野】
この発明は、直管形照明器具、特に、直管形蛍光灯照明器具の配光制御を行う反射笠の構造に関するものである。
【０００２】
【従来の技術】
図６は、例えば実開昭５７−１４７５０５号公報に示された、従来の直管形蛍光灯照明器具を示す斜視図であり、図７はその断面図である。
図において、１は照明器具本体、２は照明器具本体１に固定された反射笠であり、鏡面からなる反射面を有し、その反射面の一部において配光制御を行う。３は照明器具本体１の両端部に装着されたランプソケット、４はランプソケット３に装着された２本の直管形蛍光ランプである。
【０００３】
次に動作について説明する。照明器具本体１に固定され、反射面が鏡面の一体に形成された反射笠２は、ランプソケット３に装着され並行に配設された２本の直管形蛍光ランプを焦点にした放物面２ａ、２ｂ及び平面部２ｃにより構成されている。
反射笠２の放物面２ａ、２ｂにより、蛍光ランプ４の光を照明器具直下方向に反射し、配光の制御を行うことができる。しかし、反射笠２の反射面２ｃは蛍光ランプを焦点にした放物面でないため、いろいろな方向に反射され、配光制御はできない。
【０００４】
【発明が解決しようとする課題】
従来の蛍光灯照明器具は、以上のように構成されているので、製造上および材質上の問題点を有している。
まず、配光制御を行うため表面仕上げ精度を要求される放物面を平面部とともに反射笠の長手方向にわたり全面加工するため、加工が困難であり、加工費用および加工金型が多くかかるものであった。
また、配光制御を行わない平面部の反射面と配光制御を行う放物面をなす反射面を一体で形成しているため、コストの高い鏡面材を反射笠の反射面全体に使用しなければならず、無駄が多くコストアップになっていた。
【０００５】
この発明は上記のような問題点を解消するためになされたもので、直管形照明器具の配光制御が容易に行えるとともに、反射笠に対する製造への投資を抑え、低コストの直管形照明器具を得ることを目的とする。
【０００６】
第１の発明は、製造が容易で材料コストの低い直管形照明器具において、配光制御を行うサイド反射部材における機械的精度を一層精度よく確保できる直管形照明器具を得ようとするものである。
【０００７】
第２の発明は、製造が容易で材料コストの低い直管形照明器具において、配光制御を行うサイド反射部材における機械的精度を更に精度よく確保できる直管形照明器具を得ようとするものである。
【０００８】
第３の発明は、製造が容易で材料コストの低い直管形照明器具において、配光制御を行うサイド反射部材における機械的精度をより一層精度よく確保できる直管形照明器具を得ようとするものである。
【０００９】
第４の発明は、製造が容易で材料コストの低い直管形照明器具において、配光制御を行うサイド反射部材における機械的精度をより一層精度よく確保でき、しかも、部品点数が少なく補強部材の取付作業も容易に行える直管形照明器具を得ようとするものである。
【００１０】
【課題を解決するための手段】
第１の発明によれば、反射笠を中央反射部材と、この中央反射部材の両側に設けられ配光制御を行うサイド反射部材と、このサイド反射部材との背部曲面の少なくとも一部に沿って配設された補強部材とを備え、中央反射部材を断面溝状に形成し、補強部材に前記中央反射部材の側壁部に係合する係合部を備える。
【００１１】
第２の発明によれば、補強部材の中央反射部材側の端部に折り曲げ縁部を設け、この折り曲げ縁部をサイド反射部材の端縁に設けた折り曲げ縁部と重合するようにする。
【００１２】
第３の発明によれば、反射笠の長手方向の一端部に、中央反射部材とこの中央反射部材の両側に設けたサイド反射部材とを機械的に結合する１対の第１の補強部材を設け、反射笠の長手方向の他端部に、中央反射部材とこの中央反射部材の両側に設けたサイド反射部材とを機械的に結合する１対の第２の補強部材を設ける。
【００１３】
第４の発明によれば、補強部材を中央反射部材とこの中央反射部材の両側に設けたサイド反射部材とを機械的に結合するように一体に形成する。
【００１４】
【作用】
第１の発明では、反射笠は中央反射部材と、この中央反射部材の両側に設けられ前記ランプを焦点とした放物面を形成して配光制御を行うサイド反射部材と、このサイド反射部材の配光制御面とは反対側の面に配設され前記中央反射部材と前記サイド反射部材とを結合する補強部材とを備え、中央反射部材を断面溝状に形成し、補強部材に前記中央反射部材の側壁部に係合する係合部を備えている。
【００１５】
第２の発明によれば、補強部材の中央反射部材側の端部に折り曲げ縁部を設け、この折り曲げ縁部をサイド反射部材の端縁に設けた折り曲げ縁部と重合する。
【００１６】
第３の発明では、反射笠の長手方向の一端部に、中央反射部材とこの中央反射部材の両側に設けたサイド反射部材のそれぞれを機械的に結合する１対の第１の補強部材を設け、反射笠の長手方向の他端部に、中央反射部材とこの中央反射部材の両側に設けたサイド反射部材のそれぞれを機械的に結合する１対の第２の補強部材を設ける。
【００１７】
第４の発明では、補強部材を中央反射部材とこの中央反射部材の両側に設けた２つのサイド反射部材とを機械的に結合するように一体に形成する。
【００１８】
【実施例】
実施例１．
以下、この発明の一実施例を図について説明する。
図１は、この発明の一実施例を示す斜視図であり、図２は、その横断面図である。
１は断面コ字状のケースを有する照明器具本体、２は折り曲げ加工された板状の反射笠、３はランプソケット、４はランプソケット３に装着され、互いに並行に配置された２本の直管形蛍光ランプ、５はツマミネジ、６は照明器具本体の両端部を覆うようにはめ込まれ、ランプソケット３をその内側に収納するソケットカバー、７は折り曲げ加工された板状の補強部材、８はリベット、９は照明器具本体１の両端部側面に係止された反射笠取付金具である。反射笠２はツマミネジ５により反射板取付金具９に固定される。
【００１９】
図３は反射笠２の構成を示す斜視図で、反射笠２の反射面は、ランプを焦点とした放物面を形成し、反射笠２は反射面が鏡面の材料を使用したサイド反射部材２ａ、２ｂと、サイド反射部材２ａ、２ｂを両側端に固定し、一体の反射板となすための白色仕上げの中央反射部材２ｃと、サイド反射部材２ａ、２ｂ放物面の精度を保ち、反射笠２全体の強度を増すための、補強部材Ａ７とから構成されている。
【００２０】
補強部材Ａ７は、反射笠２の長手方向の一端部に１対づつ、両端部４箇所に固定される。補強部材Ａ７の反中央反射部材側の端縁部に設けた折り曲げ縁部７０はサイド反射部材２ａ、２ｂの側縁に設けた折り曲げ部１０の内側に重合して係止され、かつ、補強部材Ａ７の中央反射部材側の端縁部に設けた係合部７１は断面溝状に形成された中央反射部材２ｃの側壁部に係合されると共に、サイド反射部材２ａ、２ｂ、および中央反射部材２ｃと一体にリベット８で固定される。中央反射部材とサイド反射部材とは、補強部材Ａ７により機械的に一体に結合される。
【００２１】
次に動作について説明する。
照明器具本体１の側面に係止された反射板取付け金具９にツマミネジ５で固定された反射笠２は、サイド反射板２ａ、２ｂ、中央反射板２ｃ、補強部材Ａ７で構成され、サイド反射板２ａ、２ｂは、直管形蛍光ランプ４を焦点とした放物面を形成し、光の反射面を鏡面にしたものであり、蛍光ランプ４の光を照明器具直下方向に反射し、配光制御を行う。  中央反射部材２ｃは、両側端にサイド反射部材２ａ、２ｂを固定し、一体の反射板とするためのものであり、器具の形状、構造上による反射板の形状の制約から、配光制御ができないこと、及び必要とする配光に影響が少ないため、白色仕上げとしている。
【００２２】
補強部材Ａ７は、薄板のサイド反射部材２ａ、２ｂと中央反射部材２ｃで構成される反射笠２の全体の強度を増すと共に、精度が要求される放物面の形状を矯正するものであり、サイド反射板２ａ、２ｂの折り曲げ部１０の内側に係止し、中央反射部材とサイド反射部材とを一体にリベット８で容易に固定できる。
このように、反射笠２は、板を折曲加工して全体を一体に成形するのではなく、配光制御する部分と配光制御できない部分のように機能別に分割し、それぞれの機能に適応したコスト、材料、加工方法で作られた部品で反射笠を構成した。
【００２３】
実施例２．
なお、上記実施例では補強部材Ａ７を反射笠２の端部に１対づつ（４箇所）に固定し、サイド反射部材２ａ、２ｂの放物面の精度を保ち、反射笠全体の強度を増しているが、補強部材を反射笠２の両端部外側、沿面全体を覆うように一体で成形し、反射板の両端部に１個づつ固定しても同様の機能が期待できる。
第４、５図は補強部材Ｂ１１をサイド反射部材２ａ、２ｂ、中央反射部材２ｃと一体に取付けて成る他の実施例を示すもので、補強部材Ｂ１１を反射笠２の両端部外側、沿面全体を覆うように一体に成形し、両端部に１個づつ取付けるものとしている。この第４、５図によれば、第２、３図に示した補強部材の所要数が削減でき、反射笠２全体の組立作業性が向上する。
【００２４】
補強部材Ｂ１１は、反射笠２の長手方向の一端部に１個づつ、両端部に固定される。補強部材Ｂ１１の両端縁部に設けた折り曲げ縁部１１０はサイド反射部材２ａ、２ｂの側縁に設けた折り曲げ部１０の内側に重合して係止され、サイド反射部材２ａ、２ｂ、および中央反射部材２ｃと一体にリベット８で固定される。中央反射部材とサイド反射部材とは、補強部材Ｂ１１により機械的に一体に結合される。
【００２５】
以上のようにこの発明の実施例によれば、配光制御する反射板を配光制御できる部品とできない部品に分け、それぞれの機能に合った部品で構成したので一体成形の反射板より安価にでき、また、精度の高いものが得られる効果がある。
また、この発明の別の実施例では、補強板を反射板外側、沿面全体を覆うように一体で成形したので、部品点数を削減し、製造コストを下げ、組立作業性を向上させる効果がある。
【００２６】
【発明の効果】
第１の発明によれば、製造が容易で材料コストの低い直管形照明器具において、配光制御を行うサイド反射部材における機械的精度を一層精度よく確保できる直管形照明器具を得ることができる。
【００２７】
第２の発明によれば、製造が容易で材料コストの低い直管形照明器具において、配光制御を行うサイド反射部材における機械的精度を更に精度よく確保できる直管形照明器具を得ることができる。
【００２８】
第３の発明によれば、製造が容易で材料コストの低い直管形照明器具において、配光制御を行うサイド反射部材における機械的精度をより一層精度よく確保できる直管形照明器具を得ることができる。
【００２９】
第４の発明によれば、製造が容易で材料コストの低い直管形照明器具において、配光制御を行うサイド反射部材における機械的精度をより一層精度よく確保でき、しかも、部品点数が少なく補強部材の取付作業も容易に行える直管形照明器具を得ることができる。
【図面の簡単な説明】
【図１】  この発明の一実施例を示す斜視図である。
【図２】  この発明の一実施例を示す横断面図である。
【図３】  この発明の実施例を示す反射笠の構成図である。
【図４】  他の実施例を示す蛍光灯照明器具の横断面図である。
【図５】  他の実施例を示す反射笠の構成図である。
【図６】  従来の蛍光灯照明器具を示す斜視図である。
【図７】  従来の蛍光灯照明器具を示す横断面図である。
【符号の説明】
１  照明器具本体、２  反射笠、２ａ  サイド反射部材、２ｂ  サイド反射部材、２ｃ  中央反射部材、３  ランプソケット、４  蛍光ランプ、５  ツマミネジ、６  ソケットカバー、７  補強部材Ａ、８  リベット、９  反射笠取付金具、１０  サイド反射部材に設けた折り曲げ縁部、１１  補強部材Ｂ、７０  補強部材Ａに設けた折り曲げ縁部、７１  補強部材Ａに設けた係合部、１１０  補強部材Ｂに設けた折り曲げ縁部。
【図１】
0003739818.tif 000002
【図２】
0003739818.tif 000003
【図３】
0003739818.tif 000004
【図４】
0003739818.tif 000005
【図５】
0003739818.tif 000006
【図６】
0003739818.tif 000007
【図７】
0003739818.tif 000008